(57)【要約】【課題】所定範囲外の画素値を当該所定範囲内の値に制限することにより生じる画質の劣化を抑制することのできる技術を提供する。【解決手段】本発明の表示装置は、入力画像信号に所定の画像処理を施すことにより処理画像信号を生成する画像処理手段と、処理画像信号に制限処理を施すことにより制限画像信号を生成する制限手段と、制限画像信号に補償処理を施すことにより補償画像信号を生成する補償手段と、を有し、補償処理は、制限処理により値が制限された制限サブピクセル毎に、その制限サブピクセルに対する調整サブピクセルの値を調整することにより、当該制限サブピクセルの輝度変化を補償する処理であり、補償処理では、制限サブピクセルと同じ色のサブピクセルであって、当該制限サブピクセルを有する画素に最も近いサブピクセルである最近傍サブピクセルが調整サブピクセルとして選ばれる。【選択図】図１
2014137390.tif 000002
【特許請求の範囲】
【請求項１】
各々が複数色のサブピクセルからなる複数の画素を有する表示部と、
入力画像信号に、画素値を変更する所定の画像処理を施すことにより、処理画像信号を生成する画像処理手段と、
前記所定の画像処理により所定範囲外の値となったサブピクセルの値を前記所定範囲内の値に制限する制限処理を前記処理画像信号に施すことにより、制限画像信号を生成する制限手段と、
前記制限処理によるサブピクセルの輝度変化を補償する補償処理を前記制限画像信号に施すことにより、補償画像信号を生成する補償手段と、
を有し、
前記補償処理は、前記制限処理により値が制限されたサブピクセルである制限サブピクセル毎に、その制限サブピクセルに対する調整サブピクセルの値を調整することにより、当該制限サブピクセルの輝度変化を補償する処理であり、
前記補償処理では、制限サブピクセルと同じ色のサブピクセルであって、当該制限サブピクセルを有する画素に最も近いサブピクセルである最近傍サブピクセルが調整サブピクセルとして選ばれる
ことを特徴とする表示装置。
【請求項２】
前記補償処理では、調整サブピクセルの候補となる最近傍サブピクセルが複数存在する場合に、複数の候補のうちの１つが調整サブピクセルとして選ばれる
ことを特徴とする請求項１に記載の表示装置。
【請求項３】
各画素は、第１の色のサブピクセルを少なくとも含んでおり、
第１の色のサブピクセルのみが制限サブピクセルとなる画素に関して、調整サブピクセルの候補となる第１の色の最近傍サブピクセルが複数存在する場合に、前記補償処理では、第１の色とは異なる色のサブピクセルのうち輝度が最も高いサブピクセルに最も近い候補が、第１の色の制限サブピクセルに対する調整サブピクセルとして選ばれる
ことを特徴とする請求項１または２に記載の表示装置。
【請求項４】
各画素は、第１の色のサブピクセルと第２の色のサブピクセルを少なくとも含んでおり、
第１の色のサブピクセルと第２の色のサブピクセルが制限サブピクセルとなる画素に関して、調整サブピクセルの候補となる第１の色の最近傍サブピクセルが複数存在する場合に、前記補償処理では、第２の色の制限サブピクセルに対する調整サブピクセルと同じ画素に含まれる候補が、第１の色の制限サブピクセルに対する調整サブピクセルとして選ばれる
ことを特徴とする請求項１〜３のいずれか１項に記載の表示装置。
【請求項５】
各画素は、第１の色のサブピクセル、第２の色のサブピクセル、及び、第３の色のサブピクセルを少なくとも含んでおり、
第１の色のサブピクセル、第２の色のサブピクセル、及び、第３の色のサブピクセルが制限サブピクセルとなる画素に関して、調整サブピクセルの候補となる第１の色の最近傍サブピクセルが複数存在する場合に、前記補償処理では、第２の色の制限サブピクセルと第３の色の制限サブピクセルのうち輝度変化が大きい方の制限サブピクセルに対する調整サブピクセルと同じ画素に含まれる候補が、第１の色の制限サブピクセルに対する調整サブピクセルとして選ばれる
ことを特徴とする請求項１〜４のいずれか１項に記載の表示装置。
【請求項６】
前記補償処理では、調整サブピクセルの候補となる最近傍サブピクセルが複数存在する
画素が所定数以上並んでいる場合に、その画素列に対して同じ側の候補が調整サブピクセルとして選ばれる
ことを特徴とする請求項１または２に記載の表示装置。
【請求項７】
各画素は、第１の色のサブピクセルを少なくとも含んでおり、
前記補償処理では、調整サブピクセルの候補となる第１の色の最近傍サブピクセルが複数存在する画素が所定数以上並んでいる場合に、第１の色とは異なる色の制限サブピクセルのうち輝度変化が最も大きい制限サブピクセルに対する調整サブピクセル側の候補が、第１の色の制限サブピクセルに対する調整サブピクセルとして選ばれる
ことを特徴とする請求項６に記載の表示装置。
【請求項８】
各画素は、第１の色のサブピクセル、第２の色のサブピクセル、及び、第３の色のサブピクセルを少なくとも含んでおり、
前記補償処理では、調整サブピクセルの候補となる第１の色の最近傍サブピクセルが複数存在する画素が所定数以上並んでいる場合に、第２の色の制限サブピクセルと第３の色の制限サブピクセルのうち数が多い方の制限サブピクセルに対する調整サブピクセル側の候補が、第１の色の制限サブピクセルに対する調整サブピクセルとして選ばれる
ことを特徴とする請求項６に記載の表示装置。
【請求項９】
前記補償処理では、調整サブピクセルの候補となる複数の最近傍サブピクセルのうちの１つを調整サブピクセルとして選ぶだけでは制限サブピクセルの輝度変化を補償しきれない場合に、複数の候補のうちの他の候補も調整サブピクセルとして選ばれる
ことを特徴とする請求項２〜８のいずれか１項に記載の表示装置。
【請求項１０】
前記補償処理では、最近傍サブピクセルを調整サブピクセルとして選ぶだけでは制限サブピクセルの輝度変化を補償しきれない場合に、当該制限サブピクセルと同じ色のサブピクセルであって、当該制限サブピクセルを有する画素に最近傍サブピクセルの次に近いサブピクセルも、調整サブピクセルとして選ばれる
ことを特徴とする請求項１または９に記載の表示装置。
【請求項１１】
前記補償処理では、前記制限処理による制限サブピクセルの値の制限量が、調整サブピクセルの値に加算される
ことを特徴とする請求項１〜１０のいずれか１項に記載の表示装置。
【請求項１２】
前記複数の画素は、マトリクスを形成し、
各画素は、第１の色の１つのサブピクセル、第２の色の１つのサブピクセル、及び、第３の色の１つのサブピクセルの３つのサブピクセルからなり、
前記３つのサブピクセルは、第１の色のサブピクセルが第２の色のサブピクセルと第３の色のサブピクセルに挟まれるように、前記マトリクスの行方向に配列されている
ことを特徴とする請求項１〜１１のいずれか１項に記載の表示装置。
【請求項１３】
前記複数の画素は、マトリクスを形成し、
各画素は、第１の色の２つのサブピクセル、第２の色の１つのサブピクセル、及び、第３の色の１つのサブピクセルの４つのサブピクセルからなり、
前記４つのサブピクセルは、第１の色の２つのサブピクセルが対角に配置され、行方向と列方向が前記マトリクスと同じ２行２列のマトリクスを形成するように配列されていることを特徴とする請求項１〜１１のいずれか１項に記載の表示装置。
【請求項１４】
各々が複数色のサブピクセルからなる複数の画素を有する表示部を有する表示装置の制御方法であって、
入力画像信号に、画素値を変更する所定の画像処理を施すことにより、処理画像信号を生成する画像処理ステップと、
前記所定の画像処理により所定範囲外の値となったサブピクセルの値を前記所定範囲内の値に制限する制限処理を前記処理画像信号に施すことにより、制限画像信号を生成する制限ステップと、
前記制限処理によるサブピクセルの輝度変化を補償する補償処理を前記制限画像信号に施すことにより、補償画像信号を生成する補償ステップと、
を有し、
前記補償処理は、前記制限処理により値が制限されたサブピクセルである制限サブピクセル毎に、その制限サブピクセルに対する調整サブピクセルの値を調整することにより、当該制限サブピクセルの輝度変化を補償する処理であり、
前記補償処理では、制限サブピクセルと同じ色のサブピクセルであって、当該制限サブピクセルを有する画素に最も近いサブピクセルである最近傍サブピクセルが調整サブピクセルとして選ばれる
ことを特徴とする表示装置の制御方法。
【請求項１５】
前記補償処理では、調整サブピクセルの候補となる最近傍サブピクセルが複数存在する場合に、複数の候補のうちの１つが調整サブピクセルとして選ばれる
ことを特徴とする請求項１４に記載の表示装置の制御方法。
【請求項１６】
各画素は、第１の色のサブピクセルを少なくとも含んでおり、
第１の色のサブピクセルのみが制限サブピクセルとなる画素に関して、調整サブピクセルの候補となる第１の色の最近傍サブピクセルが複数存在する場合に、前記補償処理では、第１の色とは異なる色のサブピクセルのうち輝度が最も高いサブピクセルに最も近い候補が、第１の色の制限サブピクセルに対する調整サブピクセルとして選ばれる
ことを特徴とする請求項１４または１５に記載の表示装置の制御方法。
【請求項１７】
各画素は、第１の色のサブピクセルと第２の色のサブピクセルを少なくとも含んでおり、
第１の色のサブピクセルと第２の色のサブピクセルが制限サブピクセルとなる画素に関して、調整サブピクセルの候補となる第１の色の最近傍サブピクセルが複数存在する場合に、前記補償処理では、第２の色の制限サブピクセルに対する調整サブピクセルと同じ画素に含まれる候補が、第１の色の制限サブピクセルに対する調整サブピクセルとして選ばれる
ことを特徴とする請求項１４〜１６のいずれか１項に記載の表示装置の制御方法。
【請求項１８】
各画素は、第１の色のサブピクセル、第２の色のサブピクセル、及び、第３の色のサブピクセルを少なくとも含んでおり、
第１の色のサブピクセル、第２の色のサブピクセル、及び、第３の色のサブピクセルが制限サブピクセルとなる画素に関して、調整サブピクセルの候補となる第１の色の最近傍サブピクセルが複数存在する場合に、前記補償処理では、第２の色の制限サブピクセルと第３の色の制限サブピクセルのうち輝度変化が大きい方の制限サブピクセルに対する調整サブピクセルと同じ画素に含まれる候補が、第１の色の制限サブピクセルに対する調整サブピクセルとして選ばれる
ことを特徴とする請求項１４〜１７のいずれか１項に記載の表示装置の制御方法。
【請求項１９】
前記補償処理では、調整サブピクセルの候補となる最近傍サブピクセルが複数存在する画素が所定数以上並んでいる場合に、その画素列に対して同じ側の候補が調整サブピクセルとして選ばれる
ことを特徴とする請求項１４または１５に記載の表示装置の制御方法。
【請求項２０】
各画素は、第１の色のサブピクセルを少なくとも含んでおり、
前記補償処理では、調整サブピクセルの候補となる第１の色の最近傍サブピクセルが複数存在する画素が所定数以上並んでいる場合に、第１の色とは異なる色の制限サブピクセルのうち輝度変化が最も大きい制限サブピクセルに対する調整サブピクセル側の候補が、第１の色の制限サブピクセルに対する調整サブピクセルとして選ばれる
ことを特徴とする請求項１９に記載の表示装置の制御方法。
【請求項２１】
各画素は、第１の色のサブピクセル、第２の色のサブピクセル、及び、第３の色のサブピクセルを少なくとも含んでおり、
前記補償処理では、調整サブピクセルの候補となる第１の色の最近傍サブピクセルが複数存在する画素が所定数以上並んでいる場合に、第２の色の制限サブピクセルと第３の色の制限サブピクセルのうち数が多い方の制限サブピクセルに対する調整サブピクセル側の候補が、第１の色の制限サブピクセルに対する調整サブピクセルとして選ばれる
ことを特徴とする請求項１９に記載の表示装置の制御方法。
【請求項２２】
前記補償処理では、調整サブピクセルの候補となる複数の最近傍サブピクセルのうちの１つを調整サブピクセルとして選ぶだけでは制限サブピクセルの輝度変化を補償しきれない場合に、複数の候補のうちの他の候補も調整サブピクセルとして選ばれる
ことを特徴とする請求項１５〜２１のいずれか１項に記載の表示装置の制御方法。
【請求項２３】
前記補償処理では、最近傍サブピクセルを調整サブピクセルとして選ぶだけでは制限サブピクセルの輝度変化を補償しきれない場合に、当該制限サブピクセルと同じ色のサブピクセルであって、当該制限サブピクセルを有する画素に最近傍サブピクセルの次に近いサブピクセルも、調整サブピクセルとして選ばれる
ことを特徴とする請求項１４または２２に記載の表示装置の制御方法。
【請求項２４】
前記補償処理では、前記制限処理による制限サブピクセルの値の制限量が、調整サブピクセルの値に加算される
ことを特徴とする請求項１４〜２３のいずれか１項に記載の表示装置の制御方法。
【請求項２５】
前記複数の画素は、マトリクスを形成し、
各画素は、第１の色の１つのサブピクセル、第２の色の１つのサブピクセル、及び、第３の色の１つのサブピクセルの３つのサブピクセルからなり、
前記３つのサブピクセルは、第１の色のサブピクセルが第２の色のサブピクセルと第３の色のサブピクセルに挟まれるように、前記マトリクスの行方向に配列されている
ことを特徴とする請求項１４〜２４のいずれか１項に記載の表示装置の制御方法。
【請求項２６】
前記複数の画素は、マトリクスを形成し、
各画素は、第１の色の２つのサブピクセル、第２の色の１つのサブピクセル、及び、第３の色の１つのサブピクセルの４つのサブピクセルからなり、
前記４つのサブピクセルは、第１の色の２つのサブピクセルが対角に配置され、行方向と列方向が前記マトリクスと同じ２行２列のマトリクスを形成するように配列されていることを特徴とする請求項１４〜２４のいずれか１項に記載の表示装置の制御方法。
【発明の詳細な説明】
【技術分野】
【０００１】
本発明は、表示装置及びその制御方法に関する。
【背景技術】
【０００２】
液晶表示装置において、画面を複数の分割領域（バックライト領域）に分割し、分割領域毎に、バックライトの発光輝度と液晶パネルの透過率を制御する技術がある（例えば、特許文献１）。そのような技術では、例えば、暗い画像が表示される分割領域のバックライトの発光輝度として低い値が設定され、明るい画像が表示される分割領域のバックライトの発光輝度として高い値が設定される。そして、バックライトを所定の発光輝度で発光させた場合と、画像の明るさに基づく発光輝度で発光させた場合とで、画面上に表示される画像の輝度が等しくなるように、バックライトの発光輝度にあわせて画像信号（液晶パネルの透過率）が補正される。このような制御を行うことにより、黒浮を抑制し、コントラストを向上することができる。
【０００３】
しかしながら、分割領域に表示される画像が明るい領域と暗い領域の両方を含むことがある。そのような場合に、明るい領域の輝度を確保するためにバックライトの発光輝度を高めると、暗い領域の画素値が下限値を下回り、下限値を下回った画素値が下限値以上の値に制限されてしまうことがある。その結果、暗い領域の輝度が所望の輝度よりも高い値となり、画質が劣化してしまう。一方、黒浮を抑制するためにバックライトの発光輝度を低減すると、画素値が上限値を上回り、上限値を上回った画素値が上限値以下の値に制限されてしまうことがある。その結果、明るい領域の輝度が所望の輝度よりも低い値となり、画質が劣化してしまう。
【０００４】
このように、従来の技術では、画像処理により、画素値が所定範囲（下限値から上限値の範囲）外の値となった場合に、画質が劣化してしまう。
なお、上記画質の劣化は、バックライトの発光輝度にあわせて画像信号を補正する画像処理以外の画像処理により画素値が所定範囲外の値となってしまう場合にも生じる。
【先行技術文献】
【特許文献】
【０００５】
【特許文献１】特開２００２−９９２５０号公報
【発明の概要】
【発明が解決しようとする課題】
【０００６】
本発明は、所定範囲外の画素値を当該所定範囲内の値に制限することにより生じる画質の劣化を抑制することのできる技術を提供することを目的とする。
【課題を解決するための手段】
【０００７】
本発明の表示装置は、
各々が複数色のサブピクセルからなる複数の画素を有する表示部と、
入力画像信号に、画素値を変更する所定の画像処理を施すことにより、処理画像信号を生成する画像処理手段と、
前記所定の画像処理により所定範囲外の値となったサブピクセルの値を前記所定範囲内の値に制限する制限処理を前記処理画像信号に施すことにより、制限画像信号を生成する制限手段と、
前記制限処理によるサブピクセルの輝度変化を補償する補償処理を前記制限画像信号に施すことにより、補償画像信号を生成する補償手段と、
を有し、
前記補償処理は、前記制限処理により値が制限されたサブピクセルである制限サブピクセル毎に、その制限サブピクセルに対する調整サブピクセルの値を調整することにより、当該制限サブピクセルの輝度変化を補償する処理であり、
前記補償処理では、制限サブピクセルと同じ色のサブピクセルであって、当該制限サブピクセルを有する画素に最も近いサブピクセルである最近傍サブピクセルが調整サブピクセルとして選ばれる
ことを特徴とする。
【０００８】
本発明の表示装置の制御方法は、
各々が複数色のサブピクセルからなる複数の画素を有する表示部を有する表示装置の制御方法であって、
入力画像信号に、画素値を変更する所定の画像処理を施すことにより、処理画像信号を生成する画像処理ステップと、
前記所定の画像処理により所定範囲外の値となったサブピクセルの値を前記所定範囲内の値に制限する制限処理を前記処理画像信号に施すことにより、制限画像信号を生成する制限ステップと、
前記制限処理によるサブピクセルの輝度変化を補償する補償処理を前記制限画像信号に施すことにより、補償画像信号を生成する補償ステップと、
を有し、
前記補償処理は、前記制限処理により値が制限されたサブピクセルである制限サブピクセル毎に、その制限サブピクセルに対する調整サブピクセルの値を調整することにより、当該制限サブピクセルの輝度変化を補償する処理であり、
前記補償処理では、制限サブピクセルと同じ色のサブピクセルであって、当該制限サブピクセルを有する画素に最も近いサブピクセルである最近傍サブピクセルが調整サブピクセルとして選ばれる
ことを特徴とする。
【発明の効果】
【０００９】
本発明によれば、所定範囲外の画素値を当該所定範囲内の値に制限することにより生じる画質の劣化を抑制することができる。
【図面の簡単な説明】
【００１０】
【図１】実施例１に係る表示装置の機能構成の一例を示すブロック図
【図２】実施例１に係る制限部の機能構成の一例を示すブロック図
【図３】実施例１に係る補償部の機能構成の一例を示すブロック図
【図４】実施例１に係る入力・処理・制限画像信号と制限量の一例を示す図
【図５】実施例１に係る画素構成の一例を示す図
【図６】実施例１に係るＲ制限量加算処理の一例を示すフローチャート
【図７】実施例１に係るＧ制限量加算処理の一例を示すフローチャート
【図８】実施例１に係るＧ制限量加算処理の一例を示すフローチャート
【図９】実施例２に係る画素構成の一例を示す図
【図１０】実施例３に係る制限量のばらつきの一例を示す図
【図１１】実施例３に係る画質劣化の一例を示す図
【発明を実施するための形態】
【００１１】
＜実施例１＞
以下、本発明の実施例１に係る表示装置及びその制御方法について図面を参照して説明する。なお、本実施例では、液晶パネルとバックライトを有する液晶表示装置の例を説明するが、表示装置は液晶表示装置に限らない。例えば、表示装置は、プラズマディスプレ
イ装置や有機ＥＬディスプレイ装置などであってもよい。
図１は、本実施例に係る表示装置の機能構成の一例を示すブロック図である。
本実施例に係る表示装置は、液晶パネル１０１、バックライト１０２、特徴量検出部１０３、発光輝度決定部１０４、増加率決定部１０５、増加部１０６、制限部１０７、補償部１０８などを有する。
【００１２】
液晶パネル１０１は、各々が複数色のサブピクセルからなる複数の画素を有する表示部である。液晶パネル１０１は、液晶パネル１０１に入力された画像信号に基づく画像を表示する。
具体的には、液晶パネル１０１は透過型液晶パネルである。本実施例では、液晶パネル１０１のサブピクセルは、液晶素子と、対応する色のカラーフィルタとを有する。液晶パネル１０１は、液晶パネル１０１に入力された画像信号に基づいて各サブピクセルの透過率（液晶素子の透過率）を制御する。そして、液晶パネル１０１は、液晶パネル１０１に入力された画像信号に基づく透過率でバックライト１０２からの光を透過することにより、画像を表示する。
本実施例では、図５に示すように、上記複数の画素は、マトリクスを形成するように配置されている。そして、図５に示すように、各画素は、赤色（第２の色）の１つのサブピクセル（Ｒサブピクセル）、緑色（第１の色）の１つのサブピクセル（Ｇサブピクセル）、及び、青色（第３の色）の１つのサブピクセル（Ｂサブピクセル）の３つのサブピクセルからなる。図５に示すように、１つの画素を構成する３つのサブピクセルは、ストライプ状に配列されている。具体的には、１つの画素を構成する３つのサブピクセルは、ＧサブピクセルがＲサブピクセルとＢサブピクセルに挟まれるように、上記マトリクスの行方向に配列されている。図５の例では、左から右に向かって、Ｒサブピクセル、Ｇサブピクセル、及び、Ｂサブピクセルがその順番で配列されている。
本実施例では、液晶パネル１０１にサブピクセル毎の値を表す画像信号が入力される。そして、サブピクセル毎に、そのサブピクセルの透過率が、画像信号によって表される当該サブピクセルの値に応じて制御される。具体的には、液晶パネル１０１にはＲＧＢ信号が入力される。そして、ＲＧＢ信号のＲ値に応じてＲサブピクセルの透過率が制御され、Ｇ値に応じてＧサブピクセルの透過率が制御され、Ｂ値に応じてＢサブピクセルの透過率が制御される。
なお、本実施例では、緑色が第１の色であり、赤色が第２の色であり、青色が第３の色であるものとしたが、第１〜第３の色はこれに限らない。例えば、赤色が第３の色であり、青色が第２の色であってもよい。また、画素が赤色、緑色、青色以外の色のサブピクセルを有する場合には、その色が第１〜第３の色のいずれかであってもよい。
【００１３】
バックライト１０２は、液晶パネル１０１の背面に対して光を発する。本実施例では、バックライト１０２は、画面を分割して得られるバックライト領域（発光領域）毎に、発光輝度を制御可能な構成を有する。例えば、バックライト１０２は、バックライト領域毎に、個別に制御可能な光源を有する。バックライト１０２は、バックライト領域毎に、発光輝度制御値に応じた発光輝度で発光する。本実施例では、画面が水平方向ｍ個（ｍは１以上の整数）、垂直方向ｎ個（ｎは１以上の整数）の合計ｍ×ｎ個のバックライト領域に分割されているものとする。また、本実施例では、発光輝度制御値が大きいほど発光輝度が高いものとする。
【００１４】
本実施例では、暗い画像が表示されるバックライト領域の発光輝度として、所定の発光輝度よりも低い値を設定する。そして、発光輝度の低下に応じた増加率で画像信号の画素値を高めることにより、液晶パネル１０１の透過率を高める。これにより、画面上の輝度を大きく低下させることなく、暗い画像が表示される領域において、バックライト１０２からの光の漏れに起因する黒浮を低減することができる。
なお、本実施例では、説明を分かりやすくするため、入力される画像信号の画素値の範
囲と、液晶パネル１０１の透過率を制御する画像信号の画素値の範囲とが同一であるものとする。例えば、入力される画像信号の画素値の範囲が０〜２５５であり、画素値が０のとき液晶パネル１０１の透過率は最小になり、画素値が２５５のとき液晶パネル１０１の透過率は最大になるものとする。具体的には、入力される画像信号のＲ値の範囲が０〜２５５であり、Ｒ値が０のときＲサブピクセルの透過率は最小になり、Ｒ値が２５５のときＲサブピクセルの透過率は最大になるものとする。同様に、入力される画像信号のＧ値の範囲が０〜２５５であり、Ｇ値が０のときＧサブピクセルの透過率は最小になり、Ｇ値が２５５のときＧサブピクセルの透過率は最大になるものとする。入力される画像信号のＢ値の範囲が０〜２５５であり、Ｂ値が０のときＢサブピクセルの透過率は最小になり、Ｂ値が２５５のときＢサブピクセルの透過率は最大になるものとする。
【００１５】
特徴量検出部１０３は、表示装置に入力された画像信号（入力画像信号）の特徴量を取得する。本実施例では、特徴量検出部１０３は、画面を分割して得られる画像領域毎に、その画像領域に表示される画像の特徴量を取得する。画像領域とバックライト領域は、１：１で対応していることが望ましい。本実施例では、画像領域とバックライト領域は、１：１で対応しているものとする。そして、特徴量として、画像領域に表示される画像の画素値のヒストグラムが取得されるものとする。ヒストグラムは、液晶パネル１０１に入力可能な画素値の範囲（（０（Ｒ値），０（Ｇ値），０（Ｂ値））〜（２５５，２５５，２５５）の範囲）を３２等分した３２カテゴリのヒストグラムである。しかし、カテゴリの数は３２より多くても少なくてもよい。
なお、特徴量は、画像を解析することにより検出されてもよいし、外部から入力されてもよい。
【００１６】
発光輝度決定部１０４は、バックライト１０２を発光させる。具体的には、発光輝度決定部１０４は、特徴量検出部１０３で取得された特徴量に基づく発光輝度でバックライト１０２を発光させる。本実施例では、発光輝度決定部１０４は、特徴量検出部１０３で検出した画像領域毎の特徴量に基づいて、バックライト領域毎の発光輝度制御値を決定する。本実施例では、所定の発光輝度に対応する発光輝度制御値（標準発光輝度制御値）を、画像領域毎の特徴量に基づく低下率で低下させることにより、発光輝度制御値を決定する。
以下、発光輝度制御値の決定方法について説明する。
まず、発光輝度決定部１０４は、バックライト領域毎に、そのバックライト領域（画像領域）のヒストグラムを、画素値の大きいカテゴリからの累積ヒストグラムに変換する。
次に、発光輝度決定部１０４は、バックライト領域毎に、そのバックライト領域の累積ヒストグラムにおいて、度数が閾値以上となるカテゴリ（画素値の範囲）に属する画素が有するサブピクセルの値の最大値Ｈｉｓｔ＿ｈｉｇｈを検出する。閾値は、例えば、ヒストグラムの総度数の１％である。なお、閾値は１％より大きくても小さくてもよい。
そして、発光輝度決定部１０４は、バックライト領域毎に、Ｈｉｓｔ＿ｈｉｇｈを最大階調値Ｉ＿ｍａｘで除算した値を低下率として算出する。最大階調値Ｉ＿ｍａｘは、液晶パネル１０１に入力可能なサブピクセルの値（サブピクセル値）の範囲の上限値である。
次に、発光輝度決定部１０４は、バックライト領域毎に、標準発光輝度制御値に低下率を乗算することにより、発光輝度制御値を算出する。
【００１７】
増加率決定部１０５と増加部１０６は、入力画像信号に、画素値を変更する所定の画像処理を施すことにより、処理画像信号を生成する。具体的には、増加率決定部１０５と増加部１０６は、バックライト１０２の発光輝度（発光輝度決定部１０４で決定された発光輝度制御値）にあわせて入力画像信号を補正することにより、処理画像信号を生成する。それにより、バックライト１０２を標準発光輝度制御値で発光させた場合と、発光輝度決定部１０４で決定された発光輝度制御値で発光させた場合とで、画面上に表示される画像の輝度が等しくなるように、入力画像信号が補正される。
【００１８】
増加率決定部１０５は、画素毎（または画像領域毎）に、発光輝度決定部１０４で決定された発光輝度の低下率に基づいて、画素値の増加率を決定する。例えば、バックライト１０２を標準発光輝度制御値で発光させた場合と、発光輝度決定部１０４で決定された発光輝度制御値で発光させた場合とで、画面上に表示される画像の輝度を一致させるためには、低下率の逆数を増加率とすればよい。
【００１９】
増加部１０６は、画素毎に、入力画像信号の画素値を、増加率決定部１０５で決定された増加率で高めることにより、処理画像信号を生成する。増加部１０６は、処理画像信号を制限部１０７に出力する。
【００２０】
ここで、処理画像信号のサブピクセル値が、所定範囲外（液晶パネル１０１に入力可能な値の範囲外）の値となることがある。具体的には、画素値を高めることにより、サブピクセル値がＩ＿ｍａｘ（液晶パネル１０１に入力可能なサブピクセル値の上限値）を上回ることがある。例えば、Ｉ＿ｍａｘ＝２５５、入力画像信号のサブピクセル値が２００、増加率が１．５倍である場合には、処理画像信号のサブピクセル値は３００となり、Ｉ＿ｍａｘを上回る。以後、サブピクセル値のうち、Ｉ＿ｍａｘを上回った分の値を飽和量とする。上記例では、飽和量は４５である。
液晶パネル１０１の透過率（サブピクセルの透過率）は、サブピクセル値がＩ＿ｍａｘのときに最大となり、それ以上にすることはできない。そのため、サブピクセル値がＩ＿ｍａｘを上回る場合、画面上の輝度は、処理画像信号のサブピクセル値に対応する輝度よりも低い値となってしまう（輝度の不足が生じる）。本実施例では、説明を簡単にするために、サブピクセル値の変化に対し、画面上の輝度が線形に変化するものとする。そのため、飽和量と、バックライト１０２の発光輝度との積に比例する量の輝度が不足することになる。
【００２１】
制限部１０７は、上記所定の画像処理により所定範囲外の値（Ｉ＿ｍａｘより大きい値）となったサブピクセルの値を所定範囲内の値に制限する制限処理を処理画像信号に施すことにより、制限画像信号を生成する。ここで、制限処理により値が制限されたサブピクセルを“制限サブピクセル”と呼ぶ。
そして、制限部１０７は、各サブピクセルの制限量（処理画像信号のサブピクセル値からＩ＿ｍａｘを減算した値；飽和量）を表す制限量信号と、制限画像信号とを出力する。
【００２２】
具体的には、図２に示すように、制限部１０７は、制限量算出部７１と減算部７２を有する。
制限量算出部７１は、画素毎に、その画素を構成する各サブピクセルの制限量を算出する。そして、制限量算出部７１は、上記算出した各サブピクセルの制限量を制限量信号として出力する。本実施例では、制限量は、以下の式１〜３により算出される。式１〜３において、ＳＲはＲサブピクセルの制限量（Ｒ制限量）であり、ＳＧはＧサブピクセルの制限量（Ｇ制限量）であり、ＳＢはＢサブピクセルの制限量（Ｂ制限量）である。ＥＲは処理画像信号のＲ値であり、ＥＧは処理画像信号のＧ値であり、ＥＢは処理画像信号のＢ値である。ＩＲ＿ｍａｘは液晶パネル１０１に入力可能なＲ値の上限値（Ｒ最大階調値）であり、ＩＧ＿ｍａｘは液晶パネル１０１に入力可能なＧ値の上限値（Ｇ最大階調値）であり、ＩＢ＿ｍａｘは液晶パネル１０１に入力可能なＢ値の上限値（Ｂ最大階調値）である。本実施例では、ＩＲ＿ｍａｘ＝ＩＧ＿ｍａｘ＝ＩＢ＿ｍａｘ＝Ｉ＿ｍａｘ＝２５５である。なお、式１において、ＳＲが０より小さくなる場合には、ＳＲは０に置き換えられる。同様に、式２において、ＳＧが０より小さくなる場合には、ＳＧは０に置き換えられる。式３において、ＳＢが０より小さくなる場合には、ＳＢは０に置き換えられる。
ＳＲ＝ＥＲ−ＩＲ＿ｍａｘ  ・・・（式１）
ＳＧ＝ＥＧ−ＩＧ＿ｍａｘ  ・・・（式２）
ＳＢ＝ＥＢ−ＩＢ＿ｍａｘ  ・・・（式３）
減算部７２は、処理画像信号から制限量信号を減算することにより制限画像信号を生成し、生成した制限画像信号を出力する。
図４は、入力画像信号、処理画像信号、制限画像信号、及び、飽和量（制限量）の一例を示す図である。図４において、ＩＲ、ＩＧ、ＩＢは、入力画像信号のＲ値、Ｇ値、Ｂ値である。Ｉ＿ｍｉｎは、液晶パネル１０１に入力可能なサブピクセル値の下限値である。なお、Ｉ＿ｍａｘとＩ＿ｍｉｎはサブピクセルの色毎に異なっていてもよい。
【００２３】
補償部１０８は、制限部１０７の制限処理によるサブピクセルの輝度変化を補償する補償処理を制限画像信号に施すことにより、補償画像信号を生成する。そして、補償部１０８は、生成した補償画像信号を液晶パネル１０１に出力する。
具体的には、サブピクセル値を制限することにより制限サブピクセルの値がＩ＿ｍａｘ以下に低減され、制限サブピクセルの輝度が低下する。そこで、補償部１０８は、補償処理として、制限サブピクセル毎に、その制限サブピクセルに対する調整サブピクセルの値を調整することにより、当該制限サブピクセルの輝度変化を補償する処理を行う。それにより、所望の輝度（入力画像信号に忠実な輝度）を再現することができる。調整サブピクセルの決定方法（選択方法）については後述する。
【００２４】
本実施例では、図３に示すように、補償部１０８は、加算候補決定部８１、制限量加算部８２、制限画像信号記憶部８３、及び、制限量記憶部８４を有する。
制限画像信号記憶部８３と制限量記憶部８４は、フレーム毎に補償処理を行うために、１フレーム分の制限画像信号と制限量を記憶するフレームバッファ（メモリ）である。制限画像信号記憶部８３は１フレーム分の制限画像信号を記憶し、制限量記憶部８３は１フレーム分の制限量を記憶する。なお、制限画像信号記憶部８３と制限量記憶部８４は１つのメモリであってもよい。
加算候補決定部８１は、画素毎に、その画素を注目画素として選択する。そして、注目画素を構成するサブピクセルの中に制限サブピクセルが存在する場合には、加算候補決定部８１は、注目画素の制限サブピクセル毎に、その制限サブピクセルに対する加算候補（調整サブピクセルの候補）を決定する。加算候補決定部８１は、各制限サブピクセルの加算候補を表す情報と、各サブピクセルの制限量（飽和量）を表す情報とを出力する。サブピクセルが制限サブピクセルか否かは、例えば、制限量から判断することができる。具体的には、制限量が０より大きいサブピクセルを制限サブピクセルとして判断することができる。
本実施例では、１つの制限サブピクセルに対し、複数の加算候補が決定される。制限量加算部８２は、複数の加算候補から調整サブピクセルを選択し、選択した調整サブピクセルの値（制限画像信号のサブピクセル値）を調整することにより、制限画像信号から補償画像信号を生成する。具体的には、制限量加算部８２は、制限サブピクセル毎に、その制限サブピクセルの制限量を、当該制限サブピクセルに対応する調整サブピクセル（複数の加算候補から選ばれた調整サブピクセル）の値に加算する。全ての制限サブピクセルについて、調整サブピクセルの値を調整する処理を行うことにより、補償画像信号が生成される。
【００２５】
以下、加算候補および調整サブピクセルの選択方法について詳しく説明する。
本実施例では、加算候補決定部８１は、１つの制限サブピクセルに対し、第１加算候補と第２加算候補の２つのサブピクセルを決定する。制限量加算部８２は、制限サブピクセルの輝度変化を補償するために、第１加算候補を調整サブピクセルとして選択し、第１加算候補の値を調整する。そして、第１加算候補の値を調整するだけでは制限サブピクセルの輝度変化を補償しきれない場合に、制限量加算部８２は、第２加算候補を調整サブピク
セルとしてさらに選択し、第２加算候補の値を調整する。
【００２６】
具体的には、加算候補決定部８１は、制限サブピクセルと同じ色のサブピクセルであって、当該制限サブピクセルを有する画素に最も近いサブピクセルである最近傍サブピクセルを、第１加算候補として選択する。そして、加算候補決定部８１は、制限サブピクセルと同じ色のサブピクセルであって、当該制限サブピクセルを有する画素に最近傍サブピクセルの次に近いサブピクセルを、第２加算候補として選択する。その結果、最初に、最近傍サブピクセル（第１加算候補）が調整サブピクセルとして選ばれる。そして、最近傍サブピクセル（第１加算候補）を調整サブピクセルとして選ぶだけでは制限サブピクセルの輝度変化を補償しきれない場合に、当該制限サブピクセルと同じ色のサブピクセルであって、当該制限サブピクセルを有する画素に最近傍サブピクセルの次に近いサブピクセル（第２加算候補）も、調整サブピクセルとして選ばれる。
【００２７】
但し、調整サブピクセルの候補となる最近傍サブピクセルが複数存在する場合もある。そのような場合には、加算候補決定部８１は、複数の候補（複数の最近傍サブピクセル）のうちの１つを第１加算候補として選ぶ。そして、加算候補決定部８１は、複数の候補（複数の最近傍サブピクセル）のうちの他の候補（１つ）を第２加算候補として選ぶ。その結果、最初に、調整サブピクセルの候補となる複数の最近傍サブピクセルのうちの１つ（第１加算候補）が調整サブピクセルとして選ばれる。そして、調整サブピクセルの候補となる複数の最近傍サブピクセルのうちの１つ（第１加算候補）を調整サブピクセルとして選ぶだけでは制限サブピクセルの輝度変化を補償しきれない場合に、複数の候補のうちの他の候補（第２加算候補）も調整サブピクセルとして選ばれる。
【００２８】
なお、本実施例では２つの加算候補を決定する例を示したが、加算候補の数は２つより多くても少なくてもよい。例えば、加算候補決定部８１は、１つの制限サブピクセルに対し１つの加算候補（調整サブピクセル）を決定してもよい。また、加算候補決定部８１は、１つの制限サブピクセルに対し３つ以上の加算候補を決定してもよい。そして、制限量加算部８２は、３つ以上の加算候補を、制限サブピクセルを有する画素に近いサブピクセルから順番に調整サブピクセルとして選択してもよい。
【００２９】
以下、加算候補の選択方法についてより詳しく説明する。
なお、以下では、画素とサブピクセルの間の距離が、画素の中心位置とサブピクセルの中心位置との間の距離であるものとする。
画素は、図５に示すような構成を有する。図５では、垂直方向の位置がｘであり、水平方向の位置がｙである画素のＲサブピクセルがＲｘｙ、ＧサブピクセルがＧｘｙ、ＢサブピクセルがＢｘｙと記載されている。
【００３０】
注目画素の位置（垂直位置ｘ，水平位置ｙ）が（ｉ，ｊ）であり、注目画素のＲサブピクセル（Ｒｉ，ｊ）が制限サブピクセルである場合、制限サブピクセルＲｉ，ｊに対して、位置（ｉ，ｊ＋１）の画素が有するＲサブピクセル（Ｒｉ，ｊ＋１）が第１加算候補として選ばれる。そして、制限サブピクセルＲｉ，ｊに対して、位置（ｉ，ｊ−１）の画素が有するＲサブピクセル（Ｒｉ，ｊ−１）が第２加算候補として選ばれる。これは、注目画素に最も近いＲサブピクセルがサブピクセルＲｉ，ｊ＋１であり、注目画素に２番目に近いＲサブピクセルがサブピクセルＲｉ，ｊ−１であるからである。
【００３１】
同様に、注目画素の位置（ｘ，ｙ）が（ｉ，ｊ）であり、注目画素のＢサブピクセル（Ｂｉ，ｊ）が制限サブピクセルである場合、制限サブピクセルＢｉ，ｊに対して、位置（ｉ，ｊ−１）の画素が有するＢサブピクセル（Ｂｉ，ｊ−１）が第１加算候補として選ばれる。そして、制限サブピクセルＢｉ，ｊに対して、位置（ｉ，ｊ＋１）の画素が有するＢサブピクセル（Ｂｉ，ｊ＋１）が第２加算候補として選ばれる。
【００３２】
注目画素の位置（ｘ，ｙ）が（ｉ，ｊ）であり、注目画素のＧサブピクセル（Ｇｉ，ｊ）が制限サブピクセルである場合、調整サブピクセルの候補となる緑色の最近傍サブピクセルが複数存在する。具体的には、注目画素に最も近いＧサブピクセルとして、位置（ｉ，ｊ＋１）の画素が有するＧサブピクセル（Ｇｉ，ｊ＋１）と、位置（ｉ，ｊ−１）の画素が有するＧサブピクセル（Ｇｉ，ｊ−１）とが存在する。
本実施例では、上記２つのＧサブピクセル（Ｇｉ，ｊ＋１，Ｇｉ，ｊ−１）のうち、注目画素の輝度の重心位置に近い方のＧサブピクセルが第１加算候補として選ばれ、他方が第２加算候補として選ばれる。
【００３３】
以下、注目画素の位置（ｘ，ｙ）＝（ｉ，ｊ）であり、注目画素のＧサブピクセル（Ｇｉ，ｊ）が制限サブピクセルである場合の、加算候補の決定方法について説明する。
【００３４】
注目画素の位置（ｘ，ｙ）が（ｉ，ｊ）であり、注目画素のＧサブピクセル（Ｇｉ，ｊ）のみが制限サブピクセルである場合、制限サブピクセルＧｉ，ｊに対して、上記２つの最近傍サブピクセル（Ｇｉ，ｊ＋１，Ｇｉ，ｊ−１）のうちの一方が第１加算候補として選ばれる。そして、制限サブピクセルＧｉ，ｊに対して、上記２つの最近傍サブピクセル（Ｇｉ，ｊ＋１，Ｇｉ，ｊ−１）のうちの他方が第２加算候補として選ばれる。本実施例では、緑色とは異なる色のサブピクセルのうち輝度が最も高いサブピクセルに最も近い最近傍サブピクセルが、緑色の制限サブピクセルに対する第１加算候補として選ばれる。即ち、注目画素のＲサブピクセルとＢサブピクセルのうち、輝度（制限画像信号の値）が高い方のサブピクセルに最も近い最近傍サブピクセルが第１加算候補として選ばれる。例えば、注目画素のＥＢがＥＲ以下である場合、Ｇｉ，ｊ−１が制限サブピクセルＧｉ，ｊに対する第１加算候補して選ばれ、Ｇｉ，ｊ＋１が制限サブピクセルＧｉ，ｊに対する第２加算候補して選ばれる。注目画素のＥＢがＥＲよりも大きい場合、Ｇｉ，ｊ＋１が制限サブピクセルＧｉ，ｊに対する第１加算候補して選ばれ、Ｇｉ，ｊ−１が制限サブピクセルＧｉ，ｊに対する第２加算候補して選ばれる。
【００３５】
注目画素の位置（ｘ，ｙ）が（ｉ，ｊ）であり、注目画素のＧサブピクセル（Ｇｉ，ｊ）とＲサブピクセル（Ｒｉ，ｊ）が制限サブピクセルである場合、制限サブピクセルＲｉ，ｊに対する第１加算候補Ｒｉ，ｊ＋１と同じ画素に含まれる最近傍サブピクセルＧｉ，ｊ＋１が、制限サブピクセルＧｉ，ｊに対する第１加算候補として選ばれる。そして、もう１つの最近傍サブピクセルＧｉ，ｊ−１が、制限サブピクセルＧｉ，ｊに対する第２加算候補として選ばれる。
【００３６】
注目画素の位置（ｘ，ｙ）が（ｉ，ｊ）であり、注目画素のＧサブピクセル（Ｇｉ，ｊ）とＢサブピクセル（Ｂｉ，ｊ）が制限サブピクセルである場合、制限サブピクセルＢｉ，ｊに対する第１加算候補Ｂｉ，ｊ−１と同じ画素に含まれる最近傍サブピクセルＧｉ，ｊ−１が、制限サブピクセルＧｉ，ｊに対する第１加算候補として選ばれる。そして、もう１つの最近傍サブピクセルＧｉ，ｊ＋１が、制限サブピクセルＧｉ，ｊに対する第２加算候補として選ばれる。
【００３７】
注目画素の位置（ｘ，ｙ）が（ｉ，ｊ）であり、注目画素のＧサブピクセル（Ｇｉ，ｊ）、Ｒサブピクセル（Ｒｉ，ｊ）、及び、Ｂサブピクセル（Ｂｉ，ｊ）が制限サブピクセルである場合、制限サブピクセル（Ｒｉ，ｊ）と制限サブピクセル（Ｂｉ，ｊ）の制限量（飽和量）が比較される。そして、制限サブピクセル（Ｒｉ，ｊ）と制限サブピクセル（Ｂｉ，ｊ）のうち制限量（輝度変化）が大きい方の制限サブピクセルに対する第１加算候補と同じ画素に含まれる最近傍サブピクセル（Ｇｉ，ｊ−１またはＧｉ，ｊ＋１）が、制限サブピクセルＧｉ，ｊに対する第１加算候補として選ばれる。また、もう１つの最近傍サブピクセル（Ｇｉ，ｊ−１またはＧｉ，ｊ＋１）が、制限サブピクセルＧｉ，ｊに対す
る第２加算候補として選ばれる。
【００３８】
上述した方法でＧサブピクセル（Ｇｉ，ｊ）に対する加算候補を選択することにより、注目画素の輝度の重心位置に最も近いＧサブピクセルを第１加算候補として選ぶことができる。
【００３９】
Ｒサブピクセルに対する制限量加算部８２の処理（Ｒ制限量加算処理）について図６のフローチャートを用いて詳しく説明する。以下では、サブピクセルＲｉ，ｊが処理対象である場合の例を説明する。以下の処理は、全てのＲサブピクセルについて行われる。
【００４０】
まず、Ｒｉ，ｊの制限量ＳＲｉ，ｊが０より大きいか否か（Ｒｉ，ｊが制限サブピクセルか否か）が判定される（Ｓ０１）。制限量ＳＲｉ，ｊが０以下である場合（Ｓ０１：Ｎｏ）、本フローが終了される。制限量ＳＲｉ，ｊが０より大きい場合（Ｓ０１：Ｙｅｓ）、Ｓ０２へ処理が進められる。
Ｓ０２では、Ｒｉ，ｊの第１加算候補Ｒｉ，ｊ＋１が調整サブピクセルとして選択される。そして、Ｒｉ，ｊ＋１の制限量ＳＲｉ，ｊ＋１が０より大きいかが判定される。制限量ＳＲｉ，ｊ＋１が０より大きい場合（Ｓ０２：Ｙｅｓ）、Ｓ０３へ処理が進められる。制限量ＳＲｉ，ｊ＋１が０以下である場合（Ｓ０２：Ｎｏ）、Ｓ０５へ処理が進められる。
【００４１】
Ｓ０３では、Ｒｉ，ｊの第２加算候補Ｒｉ，ｊ−１が調整サブピクセルとして選択される。そして、Ｒｉ，ｊ−１の制限量ＳＲｉ，ｊ−１が０より大きいかが判定される。制限量ＳＲｉ，ｊ−１が０より大きい場合（Ｓ０３：Ｙｅｓ）、本フローが終了される。制限量ＳＲｉ，ｊ−１が０以下である場合（Ｓ０３：Ｎｏ）、Ｓ０４へ処理が進められる。
Ｓ０４では、Ｒｉ，ｊ−１のサブピクセル値ＦＲｉ，ｊ−１に制限量ＳＲｉ，ｊが加算される（調整サブピクセルの値の調整）。調整後のＦＲｉ，ｊ−１がＩＲ＿ｍａｘより大きい場合には、ＦＲｉ，ｊ−１がＩＲ＿ｍａｘに制限される。そして、本フローが終了される。
サブピクセル値ＦＲの初期値は、制限画像信号の値である。サブピクセル値ＦＲは、本処理フローが実行されることにより更新される。
【００４２】
Ｓ０５では、Ｒｉ，ｊ＋１のサブピクセル値ＦＲｉ，ｊ＋１に制限量ＳＲｉ，ｊが加算される。
次に、調整後のＦＲｉ，ｊ＋１がＩＲ＿ｍａｘより大きいか否かが判定される（Ｓ０６）。調整後のＦＲｉ，ｊ＋１がＩＲ＿ｍａｘ以下である場合（Ｓ０６：Ｎｏ）、本フローが終了される。調整後のＦＲｉ，ｊ＋１がＩＲ＿ｍａｘより大きい場合（Ｓ０６：Ｙｅｓ）、Ｓ０７へ処理が進められる。
【００４３】
Ｓ０７では、ＦＲｉ，ｊ＋１がＩＲ＿ｍａｘに制限される。また、ＦＲｉ，ｊ＋１をＩＲ＿ｍａｘに制限したことによるサブピクセルＲｉ，ｊ＋１の輝度変化量（Ｓ０５で得られた値からＩＲ＿ｍａｘを減算した値）が、制限量ＳＲｉ，ｊ＋１として算出される。
次に、Ｒｉ，ｊの第２加算候補Ｒｉ，ｊ−１が調整サブピクセルとして選択される。そして、Ｒｉ，ｊ−１の制限量ＳＲｉ，ｊ−１が０より大きいかが判定される（Ｓ０８）。制限量ＳＲｉ，ｊ−１が０より大きい場合（Ｓ０８：Ｙｅｓ）、本フローが終了される。制限量ＳＲｉ，ｊ−１が０以下である場合（Ｓ０８：Ｎｏ）、Ｓ０９へ処理が進められる。
Ｓ０９では、Ｒｉ，ｊ−１のサブピクセル値ＦＲｉ，ｊ−１に制限量ＳＲｉ，ｊ＋１が加算される。調整後のＦＲｉ，ｊ−１がＩＲ＿ｍａｘより大きい場合には、ＦＲｉ，ｊ−１がＩＲ＿ｍａｘに制限される。そして、本フローが終了される。
【００４４】
Ｂサブピクセルに対する制限量加算部８２の処理について詳しく説明する。以下では、サブピクセルＢｉ，ｊが処理対象である場合の例を説明する。以下の処理は、全てのＢサブピクセルについて行われる。
Ｂサブピクセルに対する制限量加算部８２の処理の流れは、Ｒサブピクセルに対する制限量加算部８２の処理の流れと同様である。
【００４５】
まず、Ｂｉ，ｊの制限量ＳＢｉ，ｊが０より大きいか否か（Ｂｉ，ｊが制限サブピクセルか否か）が判定される。制限量ＳＢｉ，ｊが０以下である場合、Ｂｉ，ｊに対する処理が終了される。制限量ＳＢｉ，ｊが０より大きい場合、Ｂｉ，ｊの第１加算候補Ｂｉ，ｊ−１が調整サブピクセルとして選択される。そして、Ｂｉ，ｊ−１の制限量ＳＢｉ，ｊ−１が０より大きいかが判定される。
【００４６】
制限量ＳＢｉ，ｊ−１が０より大きい場合、Ｂｉ，ｊの第２加算候補Ｂｉ，ｊ＋１が調整サブピクセルとして選択される。そして、Ｂｉ，ｊ＋１の制限量ＳＢｉ，ｊ＋１が０より大きいかが判定される。制限量ＳＢｉ，ｊ＋１が０より大きい場合、Ｂｉ，ｊに対する処理が終了される。制限量ＳＢｉ，ｊ＋１が０以下である場合、Ｂｉ，ｊ＋１のサブピクセル値ＦＢｉ，ｊ＋１に制限量ＳＢｉ，ｊが加算される。調整後のＦＢｉ，ｊ＋１がＩＢ＿ｍａｘより大きい場合には、ＦＢｉ，ｊ＋１がＩＢ＿ｍａｘに制限される。そして、Ｂｉ，ｊに対する処理が終了される。
【００４７】
制限量ＳＢｉ，ｊ−１が０以下である場合、Ｂｉ，ｊ−１のサブピクセル値ＦＢｉ，ｊ−１に制限量ＳＢｉ，ｊが加算される。
次に、調整後のＦＢｉ，ｊ−１がＩＢ＿ｍａｘより大きいか否かが判定される。調整後のＦＢｉ，ｊ−１がＩＢ＿ｍａｘ以下である場合、Ｂｉ，ｊに対する処理が終了される。調整後のＦＢｉ，ｊ−１がＩＢ＿ｍａｘより大きい場合、ＦＢｉ，ｊ−１がＩＢ＿ｍａｘに制限される。また、ＦＢｉ，ｊ−１をＩＢ＿ｍａｘに制限したことによるサブピクセルＢｉ，ｊ−１の輝度変化量が、制限量ＳＢｉ，ｊ−１として算出される。
そして、Ｂｉ，ｊの第２加算候補Ｂｉ，ｊ＋１が調整サブピクセルとして選択され、Ｂｉ，ｊ＋１の制限量ＳＢｉ，ｊ＋１が０より大きいかが判定される。制限量ＳＢｉ，ｊ＋１が０より大きい場合、Ｂｉ，ｊに対する処理が終了される。制限量ＳＢｉ，ｊ＋１が０以下である場合、Ｂｉ，ｊ＋１のサブピクセル値ＦＢｉ，ｊ＋１に制限量ＳＢｉ，ｊ−１が加算される。調整後のＦＢｉ，ｊ＋１がＩＢ＿ｍａｘより大きい場合には、ＦＢｉ，ｊ＋１がＩＢ＿ｍａｘに制限される。そして、Ｂｉ，ｊに対する処理が終了される。
【００４８】
Ｇサブピクセルに対する制限量加算部８２の処理（Ｇ制限量加算処理）について詳しく説明する。以下では、サブピクセルＧｉ，ｊが処理対象である場合の例を説明する。以下の処理は、全てのＧサブピクセルについて行われる。なお、以下の処理はサブピクセルＧｉ，ｊが制限サブピクセルであった場合に行われる処理であり、サブピクセルＧｉ，ｊが制限サブピクセルでない場合には以下の処理は行われずに、Ｇｉ，ｊに対する処理が終了される。
【００４９】
注目画素においてサブピクセルＧｉ，ｊのみが制限サブピクセルであった場合、図７の処理フローが行われる。
まず、注目画素のＲサブピクセル（Ｒｉ，ｊ）の値（制限画像信号の値；ＥＲｉ，ｊ）と、注目画素のＢサブピクセル（Ｂｉ，ｊ）の値（制限画像信号の値；ＥＢｉ，ｊ）とが比較される（Ｓ１０１）。ＥＢｉ，ｊがＥＲｉ，ｊより大きい場合（Ｓ１０１：Ｙｅｓ）、Ｓ１０２へ処理が進められる。ＥＢｉ，ｊがＥＲｉ，ｊ以下である場合（Ｓ１０１：Ｎｏ）、Ｓ１１０へ処理が進められる。
【００５０】
Ｓ１０２では、Ｇｉ，ｊの第１加算候補Ｇｉ，ｊ＋１が調整サブピクセルとして選択さ
れる。そして、Ｇｉ，ｊ＋１の制限量ＳＧｉ，ｊ＋１が０より大きいかが判定される。制限量ＳＧｉ，ｊ＋１が０より大きい場合（Ｓ１０２：Ｙｅｓ）、Ｓ１０３へ処理が進められる。制限量ＳＧｉ，ｊ＋１が０以下である場合（Ｓ１０２：Ｎｏ）、Ｓ１０５へ処理が進められる。
【００５１】
Ｓ１０３では、Ｇｉ，ｊの第２加算候補Ｇｉ，ｊ−１が調整サブピクセルとして選択される。そして、Ｇｉ，ｊ−１の制限量ＳＧｉ，ｊ−１が０より大きいかが判定される。制限量ＳＧｉ，ｊ−１が０より大きい場合（Ｓ１０３：Ｙｅｓ）、本フローが終了される。制限量ＳＧｉ，ｊ−１が０以下である場合（Ｓ１０３：Ｎｏ）、Ｓ１０４へ処理が進められる。
Ｓ１０４では、Ｇｉ，ｊ−１のサブピクセル値ＦＧｉ，ｊ−１に制限量ＳＧｉ，ｊが加算される。調整後のＦＧｉ，ｊ−１がＩＧ＿ｍａｘより大きい場合には、ＦＧｉ，ｊ−１がＩＧ＿ｍａｘに制限される。そして、本フローが終了される。
【００５２】
Ｓ１０５では、Ｇｉ，ｊ＋１のサブピクセル値ＦＧｉ，ｊ＋１に制限量ＳＧｉ，ｊが加算される。
次に、調整後のＦＧｉ，ｊ＋１がＩＧ＿ｍａｘより大きいか否かが判定される（Ｓ１０６）。調整後のＦＧｉ，ｊ＋１がＩＧ＿ｍａｘ以下である場合（Ｓ１０６：Ｎｏ）、本フローが終了される。調整後のＦＧｉ，ｊ＋１がＩＧ＿ｍａｘより大きい場合（Ｓ１０６：Ｙｅｓ）、Ｓ１０７へ処理が進められる。
【００５３】
Ｓ１０７では、ＦＧｉ，ｊ＋１がＩＧ＿ｍａｘに制限される。また、ＦＧｉ，ｊ＋１をＩＧ＿ｍａｘに制限したことによるサブピクセルＧｉ，ｊ＋１の輝度変化量（Ｓ１０５で得られた値からＩＧ＿ｍａｘを減算した値）が、制限量ＳＧｉ，ｊ＋１として算出される。
次に、Ｇｉ，ｊの第２加算候補Ｇｉ，ｊ−１が調整サブピクセルとして選択される。そして、Ｇｉ，ｊ−１の制限量ＳＧｉ，ｊ−１が０より大きいかが判定される（Ｓ１０８）。制限量ＳＧｉ，ｊ−１が０より大きい場合（Ｓ１０８：Ｙｅｓ）、本フローが終了される。制限量ＳＧｉ，ｊ−１が０以下である場合（Ｓ１０８：Ｎｏ）、Ｓ１０９へ処理が進められる。
Ｓ１０９では、Ｇｉ，ｊ−１のサブピクセル値ＦＧｉ，ｊ−１に制限量ＳＧｉ，ｊ＋１が加算される。調整後のＦＧｉ，ｊ−１がＩＧ＿ｍａｘより大きい場合には、ＦＧｉ，ｊ−１がＩＧ＿ｍａｘに制限される。そして、本フローが終了される。
【００５４】
Ｓ１１０では、Ｇｉ，ｊの第１加算候補Ｇｉ，ｊ−１が調整サブピクセルとして選択される。そして、Ｇｉ，ｊ−１の制限量ＳＧｉ，ｊ−１が０より大きいかが判定される。制限量ＳＧｉ，ｊ−１が０より大きい場合（Ｓ１１０：Ｙｅｓ）、Ｓ１１１へ処理が進められる。制限量ＳＧｉ，ｊ−１が０以下である場合（Ｓ１１０：Ｎｏ）、Ｓ１１３へ処理が進められる。
【００５５】
Ｓ１１１では、Ｇｉ，ｊの第２加算候補Ｇｉ，ｊ＋１が調整サブピクセルとして選択される。そして、Ｇｉ，ｊ＋１の制限量ＳＧｉ，ｊ＋１が０より大きいかが判定される。制限量ＳＧｉ，ｊ＋１が０より大きい場合（Ｓ１１１：Ｙｅｓ）、本フローが終了される。制限量ＳＧｉ，ｊ＋１が０以下である場合（Ｓ１１１：Ｎｏ）、Ｓ１１２へ処理が進められる。
Ｓ１１２では、Ｇｉ，ｊ＋１のサブピクセル値ＦＧｉ，ｊ＋１に制限量ＳＧｉ，ｊが加算される。調整後のＦＧｉ，ｊ＋１がＩＧ＿ｍａｘより大きい場合には、ＦＧｉ，ｊ＋１がＩＧ＿ｍａｘに制限される。そして、本フローが終了される。
【００５６】
Ｓ１１３では、Ｇｉ，ｊ−１のサブピクセル値ＦＧｉ，ｊ−１に制限量ＳＧｉ，ｊが加
算される。
次に、調整後のＦＧｉ，ｊ−１がＩＧ＿ｍａｘより大きいか否かが判定される（Ｓ１１４）。調整後のＦＧｉ，ｊ−１がＩＧ＿ｍａｘ以下である場合（Ｓ１１４：Ｎｏ）、本フローが終了される。調整後のＦＧｉ，ｊ−１がＩＧ＿ｍａｘより大きい場合（Ｓ１１４：Ｙｅｓ）、Ｓ１１５へ処理が進められる。
【００５７】
Ｓ１１５では、ＦＧｉ，ｊ−１がＩＧ＿ｍａｘに制限される。また、ＦＧｉ，ｊ−１をＩＧ＿ｍａｘに制限したことによるサブピクセルＧｉ，ｊ−１の輝度変化量（Ｓ１１３で得られた値からＩＧ＿ｍａｘを減算した値）が、制限量ＳＧｉ，ｊ−１として算出される。
次に、Ｇｉ，ｊの第２加算候補Ｇｉ，ｊ＋１が調整サブピクセルとして選択される。そして、Ｇｉ，ｊ＋１の制限量ＳＧｉ，ｊ＋１が０より大きいかが判定される（Ｓ１１６）。制限量ＳＧｉ，ｊ＋１が０より大きい場合（Ｓ１１６：Ｙｅｓ）、本フローが終了される。制限量ＳＧｉ，ｊ＋１が０以下である場合（Ｓ１１６：Ｎｏ）、Ｓ１１７へ処理が進められる。
Ｓ１１７では、Ｇｉ，ｊ＋１のサブピクセル値ＦＧｉ，ｊ＋１に制限量ＳＧｉ，ｊ−１が加算される。調整後のＦＧｉ，ｊ＋１がＩＧ＿ｍａｘより大きい場合には、ＦＧｉ，ｊ＋１がＩＧ＿ｍａｘに制限される。そして、本フローが終了される。
【００５８】
注目画素において、サブピクセルＧｉ，ｊと、サブピクセルＲｉ，ｊとサブピクセルＢｉ，ｊの少なくとも一方とが制限サブピクセルであった場合、図８の処理フローが行われる。
まず、注目画素のＲサブピクセル（Ｒｉ，ｊ）の制限量ＳＲｉ，ｊと、注目画素のＢサブピクセル（Ｂｉ，ｊ）の制限量ＳＢｉ，ｊとが比較される（Ｓ２０１）。ＳＲｉ，ｊがＳＢｉ，ｊより大きい場合（Ｓ２０１：Ｙｅｓ）、Ｓ２０２へ処理が進められる。ＳＲｉ，ｊがＳＢｉ，ｊ以下である場合（Ｓ２０１：Ｎｏ）、Ｓ２１０へ処理が進められる。
Ｓ２０２〜Ｓ２１７の処理は、Ｓ１０２〜Ｓ１１７の処理と同様のため、その説明は省略する。
【００５９】
なお、上述したように、Ｇサブピクセルが制限サブピクセルである場合、調整サブピクセルの選択方法（選択順序）は他の色のサブピクセルの値によって変わる。しかしながら、ＲサブピクセルとＢサブピクセルについては、調整サブピクセルの選択方法は変わらない。即ち、注目画素においてＲサブピクセルのみが制限サブピクセルである場合と、注目画素においてＲサブピクセルを含む２色以上のサブピクセルが制限サブピクセルである場合とで、Ｒサブピクセルに対する加算候補の選択方法は変わらない。
【００６０】
以上述べたように、本実施例によれば、制限サブピクセルの輝度変化が、調整サブピクセルの値を調整することにより補償される。それにより、所定範囲外の画素値（サブピクセル値）を当該所定範囲内の値に制限することにより生じる画質の劣化を抑制することができる。
また、本実施例によれば、制限サブピクセルと同じ色のサブピクセルであって、当該制限サブピクセルを有する画素に最も近いサブピクセルである最近傍サブピクセルが調整サブピクセルとして選ばれる。それにより、輝度変化面積（補償処理によって輝度が変化する面積）を小さくすることができる。例えば、注目画素に隣接する複数の画素のサブピクセルの値を調整する場合に比べ、輝度変化面積を小さくすることができる。
【００６１】
また、本実施例によれば、調整サブピクセルの候補となる最近傍サブピクセルが複数存在する場合に、複数の最近傍サブピクセルのうち、注目画素の輝度の重心位置に最も近い最近傍サブピクセルが第１加算候補として選ばれる。それにより、他の最近傍サブピクセルを第１加算候補として選ぶよりも、輝度変化面積を小さくすることができる。なお、第
１加算候補は、注目画素の輝度の重心位置に最も近い最近傍サブピクセルでなくてもよい。例えば、複数の最近傍サブピクセルのうちの１つが第１加算候補としてランダムに選択されてもよい。複数の最近傍サブピクセルのうち、注目画素と所定の位置関係にある最近傍サブピクセルが、第１加算候補として選択されてもよい。そのような構成であっても、最近傍サブピクセルを調整サブピクセルとして選ぶことにより、輝度変化面積を小さくすることができる。
【００６２】
なお、本実施例では、入力画像信号としてサブピクセル毎の値を表すＲＧＢ信号が入力されるものとしたが、入力画像信号はＲＧＢ信号に限らない。例えば、入力画像信号はＹＣｂＣｒ信号であってもよい。そして、ＹＣｂＣｒ信号である入力画像信号から、ＲＧＢ信号（サブピクセル毎の値を表す画像信号）である処理画像信号が生成されてもよい。
【００６３】
なお、本実施例では、画素が図５に示すような構成を有する場合の例を示したが、画素の構成は図５に示す構成に限らない。例えば、画素は黄色のサブピクセルを有していてもよい。画素の構成の他の例については、実施例２で説明する。
【００６４】
なお、本実施例では、サブピクセル値が上限値を上回った場合に、当該サブピクセル値を上限値に制限する例を示したが、これに限らない。制限後のサブピクセル値は、所定範囲（液晶パネル１０１に入力可能な値の範囲）内の値であればよく、上限値よりも小さい値であってもよい。
【００６５】
なお、本実施例では、サブピクセル値が所定範囲の上限値を上回る場合について説明したが、これに限らない。サブピクセル値が所定範囲の下限値を下回った場合には、当該サブピクセル値が下限値以上の値に制限されることがある。その場合には、同様の方法により、下限値を下回ったサブピクセル値を制限したことによる輝度変化が補償されてもよい。
【００６６】
なお、本実施例では、サブピクセル値の増加に対して透過率（画面上の輝度）が線形に増加する場合の例を示したが、これに限らない。例えば、サブピクセル値の増加に対して透過率（画面上の輝度）が指数関数的に増加してもよい。その場合には、例えば、サブピクセル値に対する透過率の変化を表す関数を用いて、サブピクセル値を制限したことによる輝度の変化を算出（推定）することができる。そして、上記関数と、調整サブピクセルの値（制限画像信号の値）とから、輝度変化を補償する補償量を算出することができる。
【００６７】
なお、本実施例では、バックライト領域毎に発光輝度や画素値が調整される構成としたが、これに限らない。画像全体の明るさに基づいて、バックライト全体の発光輝度が制御され、バックライト全体の発光輝度に基づいて、各画素値が調整されてもよい。
【００６８】
なお、本実施例では、画素値のヒストグラムを特徴量として用いたが、特徴量はこれに限らない。例えば、画素値や輝度値（画像信号の輝度値）の代表値（最大値、最小値、最頻値、中間値、平均値）が特徴量として用いられてもよい。輝度値のヒストグラムが特徴量として用いられてもよい。
【００６９】
なお、本実施例では、ＲサブピクセルとＢサブピクセルのサブピクセル値から、Ｇサブピクセルに対する第１加算候補と第２加算候補を決定する例を示したが、これに限らない。例えば、注目画素の各サブピクセルの位置と輝度（制限画像信号の値）から注目画素の輝度の重心位置を算出してもよい。そして、Ｇサブピクセル（複数の最近傍サブピクセルが存在する制限サブピクセル）に関しては、算出した重心位置に近い最近傍サブピクセルから順番に加算候補として選択されてもよい。即ち、重心位置に最も近い最近傍サブピクセルが第１加算候補として選択され、重心位置に２番目に近い最近傍サブピクセルが第２
加算候補として選択されてもよい。そのように加算候補を選択すれば、重心位置に近い最近傍サブピクセルの値が他のサブピクセルよりも優先して調整されるため、重心位置から遠い最近傍サブピクセルの値を他のサブピクセルよりも優先して調整するよりも輝度変化面積を小さくすることができる。
【００７０】
なお、本実施例では、所定の画像処理が、バックライトの発光輝度の変化による画像（画面上に表示される画像）の輝度の変化を抑制するための画像処理である場合の例を示したが、画像処理はこれに限らない。輝度調整、色調整、ぼかし、エッジ強調など、画素値を変更する画像処理であれば、上記所定の画像処理はどのような処理であってもよい。
【００７１】
＜実施例２＞
以下、本発明の実施例２に係る表示装置及びその制御方法について図面を参照して説明する。
本実施例に係る表示装置の全体構成は、実施例１と同様のため、その説明は省略する。また、以下では、実施例１と異なる点について詳しく説明し、実施例１と同様の構成や処理については説明を省略する。
図９に、本実施例に係る画素（液晶パネル１０１が有する画素）の構成の一例を示す。本実施例でも、図９に示すように、複数の画素は、マトリクスを形成するように配置されている。そして、図９に示すように、各画素は、２つのＧサブピクセル、１つのＲサブピクセル、及び、１つのＢサブピクセルの４つのサブピクセルからなる。図９に示すように、１つの画素を構成する４つのサブピクセルは、２つのＧサブピクセルが対角に配置され、行方向と列方向が上記マトリクス（複数の画素によって形成されるマトリクス）と同じ２行２列のマトリクスを形成するように配列されている。
本実施例でも、１つの制限サブピクセルに対し２つの加算候補が決定されるものとする。
図９の構成の場合、Ｒサブピクセルの最近傍サブピクセルは２つ存在し、Ｂサブピクセルの最近傍サブピクセルは２つ存在し、Ｇサブピクセルの最近傍サブピクセルは４つ存在する。そのため、Ｒサブピクセルが制限サブピクセルである場合には、２つの最近傍サブピクセルの一方が第１加算候補として選択され、他方が第２加算候補として選択される。Ｂサブピクセルが制限サブピクセルである場合には、２つの最近傍サブピクセルの一方が第１加算候補として選択され、他方が第２加算候補として選択される。Ｇサブピクセルが制限サブピクセルである場合には、４つの最近傍サブピクセルの１つが第１加算候補として選択され、残りの３つのうちの１つが第２加算候補として選択される。
例えば、Ｒｉ，ｊが制限サブピクセルである場合、制限サブピクセルＲｉ，ｊに対して、Ｒｉ＋１，ｊとＲｉ，ｊ＋１の一方が第１加算候補、他方が第２加算候補として選ばれる。Ｂｉ，ｊが制限サブピクセルである場合、制限サブピクセルＢｉ，ｊに対して、Ｂｉ−１，ｊとＢｉ，ｊ−１の一方が第１加算候補、他方が第２加算候補として選ばれる。Ｇ１ｉ，ｊが制限サブピクセルである場合、制限サブピクセルＧ１ｉ，ｊに対して、Ｇ１ｉ＋１，ｊ、Ｇ２ｉ，ｊ＋１、Ｇ２ｉ−１，ｊ、及び、Ｇ１ｉ，ｊ−１の４つのうちの１つが第１加算候補として選ばれ、残りの３つのうちの１つが第２加算候補として選ばれる。Ｇ２ｉ，ｊが制限サブピクセルである場合、制限サブピクセルＧ２ｉ，ｊに対して、Ｇ１ｉ＋１，ｊ、Ｇ２ｉ，ｊ＋１、Ｇ２ｉ−１，ｊ、及び、Ｇ１ｉ，ｊ−１の４つのうちの１つが第１加算候補として選ばれ、残りの３つのうちの１つが第２加算候補として選ばれる。
【００７２】
制限サブピクセルＲｉ，ｊに対する加算候補の決定方法は、特に問わない。
例えば、制限サブピクセルＲｉ，ｊに対しては、Ｒｉ＋１，ｊとＲｉ，ｊ＋１のうち、注目画素と所定の位置関係にある方を第１加算候補として選択し、他方を第２加算候補として選択してもよい。即ち、注目画素と、第１加算候補および第２加算候補との位置関係は予め定められていてもよい。
第１加算候補と第２加算候補はＲｉ＋１，ｊとＲｉ，ｊ＋１の中からランダムに選択されてもよい。
実施例１においてＧｉ，ｊのみが制限サブピクセルであった場合と同様に、他の色のサブピクセルの輝度（制限画像信号の値）に基づいて第１加算候補と第２加算候補が決定されてもよい。具体的には、赤色とは異なる色のサブピクセル（Ｂｉ，ｊ、Ｇ１ｉ，ｊ、及び、Ｇ２ｉ，ｊ）のうち輝度が最も高いサブピクセルに最も近い最近傍サブピクセルが、制限サブピクセルＲｉ，ｊに対する第１加算候補として選ばれてもよい。この方法によれば、注目画素の輝度の重心位置に最も近いＲサブピクセルを第１加算候補として選ぶことができる。
また、注目画素の各サブピクセルの位置と輝度（制限画像信号の値）から注目画素の輝度の重心位置を算出してもよい。そして、制限サブピクセルＲｉ，ｊに対して、算出した重心位置に近い最近傍サブピクセルから順番に加算候補が選択されてもよい。
Ｂｉ，ｊが制限サブピクセルである場合の加算候補の選択方法は、Ｒｉ，ｊに対する加算候補の選択方法と同様である。
【００７３】
制限サブピクセルＧ１ｉ，ｊに対する加算候補の決定方法は、実施例１で述べた方法とほぼ同じである。
Ｇ１ｉ，ｊのみが制限サブピクセルである場合、緑色とは異なる色のサブピクセルのうち輝度が最も高いサブピクセルに近い最近傍サブピクセルから順番に加算候補が選ばれる。例えば、Ｒｉ，ｊの輝度（制限画像信号の値）がＢｉ，ｊの輝度よりも高い場合には、Ｇ２ｉ−１，ｊとＧ１ｉ，ｊ−１の一方が第１加算候補として選ばれ、他方が第２加算候補として選ばれる。このとき、Ｇ２ｉ−１，ｊとＧ１ｉ，ｊ−１のどちらが第１加算候補として選択されてもよい。
Ｇ１ｉ，ｊとＲｉ，ｊが制限サブピクセルである場合、Ｒｉ，ｊに対する第１加算候補と同じ画素に含まれる最近傍サブピクセルが、Ｇ１ｉ，ｊに対する第１加算候補として選ばれる。この場合、制限サブピクセルＧ１ｉ，ｊに対する第２加算候補の決定方法は特に問わない。
Ｇ１ｉ，ｊとＢｉ，ｊが制限サブピクセルである場合、Ｂｉ，ｊに対する第１加算候補と同じ画素に含まれる最近傍サブピクセルが、Ｇ１ｉ，ｊに対する第１加算候補として選ばれる。この場合、制限サブピクセルＧ１ｉ，ｊに対する第２加算候補の決定方法は特に問わない。
Ｇ１ｉ，ｊ、Ｒｉ，ｊ、及び、Ｂｉ，ｊが制限サブピクセルである場合、Ｒｉ，ｊとＢｉ，ｊのうち制限量（輝度変化）が大きい方の制限サブピクセルに対する第１加算候補と同じ画素に含まれる最近傍サブピクセルが、制限サブピクセルＧ１ｉ，ｊに対する第１加算候補として選ばれる。そして、Ｒｉ，ｊとＢｉ，ｊのうち制限量が小さい方の制限サブピクセルに対する第１加算候補と同じ画素に含まれる最近傍サブピクセルが、制限サブピクセルＧ１ｉ，ｊに対する第２加算候補として選ばれる。
上述した方法でＧ１ｉ，ｊに対する加算候補を選択することにより、注目画素の輝度の重心位置に最も近いＧサブピクセルを第１加算候補として選ぶことができる。
Ｇ２ｉ，ｊが制限サブピクセルである場合の加算候補の選択方法は、Ｇ１ｉ，ｊに対する加算候補の選択方法と同様である。
【００７４】
以上述べたように、本実施例によれば、最近傍サブピクセルが第１加算候補として選ばれ、第１加算候補が他のサブピクセルよりも優先して調整サブピクセルとして選ばれる。そのため、図９に示すような画素構成の場合であっても、実施例１と同様に、輝度変化面積を小さくすることができる。
なお、本実施例では、第１の色が緑色、第２の色が赤色、第３の色が青色である場合の例を示したが、第１〜第３の色はこれに限らない。例えば、赤色が第１の色であり、緑色が第２の色であってもよい。そして、赤色に関する上記処理（Ｒサブピクセルに対する加算候補の選択方法）がＧサブピクセルに対して行われ、緑色に関する上記処理（Ｇサブピ
クセルに対する加算候補の選択方法）がＲサブピクセルに対して行われてもよい。画素が赤色、緑色、青色以外の色のサブピクセルを有する場合には、その色が第１〜第３の色のいずれかであってもよい。
【００７５】
＜実施例３＞
以下、本発明の実施例３に係る表示装置及びその制御方法について図面を参照して説明する。
本実施例に係る表示装置の全体構成は、実施例１と同様のため、その説明は省略する。また、以下では、実施例１と異なる点について詳しく説明し、実施例１と同様の構成や処理については説明を省略する。
【００７６】
調整サブピクセルの候補となる最近傍サブピクセルが複数存在する画素が所定数以上並んでいる場合、調整サブピクセル（具体的には第１加算候補）の選び方によっては、補償画像信号の画質が劣化してしまうことがある。例えば、図１０に示すように、Ｇサブピクセルが制限サブピクセルとなる画素が列方向に所定数以上並んでいる場合、ＲサブピクセルとＢサブピクセルのサブピクセル値や制限量がばらつくと、Ｇサブピクセルに対する第１加算候補は左右にばらつく。このようなばらつきにより、図１１に示すように、補償画像信号を生成する際に、入力画像信号で表示される画像内のエッジが変形してしまう。
【００７７】
そこで、本実施例では、調整サブピクセルの候補となる最近傍サブピクセルが複数存在する画素が所定数以上並んでいる場合に、その画素列に対して同じ側の最近傍サブピクセルを第１加算候補として選ぶ。具体的には、加算候補決定部８１が、制限量記憶部８４に記憶されている１フレーム分の制限量から、Ｇサブピクセルが制限サブピクセルである画素が列方向に所定数以上並んでいるか否かを判断する。そして、加算候補決定部８１は、そのような画素列のＧサブピクセルに対しては、ＲサブピクセルとＢサブピクセルの値（サブピクセル値、制限量）に拘わらず、同じ側（右側または左側）の最近傍サブピクセルを第１加算候補として選択する。それにより、上記ばらつきの発生を防ぐことができ、補償画像信号の画質を向上することができる。
なお、所定数はどのような値であってもよく、例えば、３、５、８、１５などである。
また、上記画素列において、Ｇサブピクセル以外にも制限サブピクセルが存在する場合には、緑色とは異なる色（赤色と青色）の制限サブピクセル（上記画素列における制限サブピクセル）のうち輝度変化が最も大きい制限サブピクセルに対する調整サブピクセル側（第１加算候補側）の最近傍サブピクセルを、緑色の制限サブピクセルに対する第１加算候補として選んでもよい。そのような構成により、輝度変化面積を小さくすることができる。
また、上記画素列において、Ｇサブピクセル以外にも制限サブピクセルが存在する場合には、赤色の制限サブピクセルと青色の制限サブピクセルのうち数（上記画素列における数）が多い方の制限サブピクセルに対する調整サブピクセル側（第１加算候補側）の最近傍サブピクセルを、緑色の制限サブピクセルに対する第１加算候補として選んでもよい。そのような構成であっても、輝度変化面積を小さくすることができる。
【００７８】
以上述べたように、本実施例によれば、調整サブピクセルの候補となる最近傍サブピクセルが複数存在する画素が所定数以上並んでいる場合に、その画素列に対して同じ側の最近傍サブピクセルが調整サブピクセル（第１加算候補）として選ばれる。それにより、制限サブピクセルと第１加算候補の位置関係のばらつきによる画質（補償画像信号の画質）の劣化を防止することができる。
なお、上記処理は、全てのサブピクセルが制限サブピクセルである画素が所定数以上並んでいる場合にのみ行われてもよい。
なお、本実施例では、画素構成が実施例１（図５）の構成である場合の例について説明したが、実施例２の表示装置において上記処理が行われてもよい。赤色の制限サブピクセ
ルに対して同じ側の最近傍サブピクセルを第１加算候補として選ぶことにより、赤色の制限サブピクセルと第１加算候補の位置関係のばらつきを防止することができ、当該ばらつきによる画質の劣化を防止することができる。青色、緑色についても同様の効果を得ることができる。また、赤色と青色の制限サブピクセルに関して第１加算候補を決定した後に、緑色の制限サブピクセルに関して、赤色と青色の制限サブピクセルの輝度変化や数に基づく上記処理により、第１加算候補が決定されてもよい。
【符号の説明】
【００７９】
１０１  液晶パネル
１０６  増加部
１０７  制限部
１０８  補償部
【図１】
2014137390.tif 000003
【図２】
2014137390.tif 000004
【図３】
2014137390.tif 000005
【図４】
2014137390.tif 000006
【図５】
2014137390.tif 000007
【図６】
2014137390.tif 000008
【図７】
2014137390.tif 000009
【図８】
2014137390.tif 000010
【図９】
2014137390.tif 000011
【図１０】
2014137390.tif 000012
【図１１】
2014137390.tif 000013